(57)【要約】【課題】無線制御装置がコントロールプレーン処理装置およびユーザプレーン処理装置に分離されており、それらの装置にセル情報を容易かつ確実に設定することのできる無線アクセスネットワークを提供する。【解決手段】コントローププレーン処理装置１１は、配下の各ユーザプレーン処理装置１２１〜１２Ｎと共有すべきセル情報を予め保持している。ユーザプレーン処理装置１２1〜１２Nは、例えば起動時に、コントロールプレーン処理装置１１にセル情報を要求する。コントロールプレーン処理装置１１は、セル情報を要求したユーザプレーン処理装置に、そのユーザプレーン処理装置と共有すべきセル情報を通知する。【選択図】      図１
2004194087.tif 000002
【特許請求の範囲】
【請求項１】
少なくとも１つの無線基地局を収容する無線制御装置が、コントロールプレーンの処理を行うコントロールプレーン処理装置と、前記コントロールプレーン処理装置の配下でユーザプレーンの処理を行う少なくとも１つのユーザプレーン処理装置とに物理的に分割された無線アクセスネットワークにおいてセル情報を設定するためのセル情報設定方法であって、
配下の前記各ユーザプレーン処理装置と共有すべきセル情報を予め前記コントロールプレーン処理装置において保持する第１のステップと、
前記ユーザプレーン処理装置から前記コントロールプレーン処理装置にセル情報を要求する第２のステップと、
前記コントロールプレーン処理装置から、セル情報を要求した前記ユーザプレーン処理装置に、該コントロールプレーン処理装置と該ユーザプレーン処理装置で共有すべきセル情報を通知する第３のステップとを有する情報設定方法。
【請求項２】
前記第２のステップにおいて、前記ユーザプレーン処理装置は起動処理が完了したときにセル情報を要求する、請求項１記載の情報設定方法。
【請求項３】
少なくとも１つの無線基地局を収容する無線制御装置が、コントロールプレーンの処理を行うコントロールプレーン処理装置と、前記コントロールプレーン処理装置の配下でユーザプレーンの処理を行う少なくとも１つのユーザプレーン処理装置とに物理的に分割された無線アクセスネットワークにおいてセル情報を設定するためのセル情報設定方法であって、
配下の前記各ユーザプレーン処理装置と共有すべきセル情報を予め前記コントロールプレーン処理装置において保持する第１のステップと、
前記コントロールプレーン処理装置において、セル情報を通知すべきユーザプレーン処理装置を決定する第２のステップと、
前記コントロールプレーン処理装置からセル情報を通知すべき前記ユーザプレーン処理装置に、該コントロールプレーン処理装置と該ユーザプレーン処理装置で共有すべきセル情報を通知する第３のステップとを有する情報設定方法。
【請求項４】
前記セル情報は、前記無線基地局にカバーされる各セル毎に設定される情報を含む、請求項１〜３のいずれか１項に記載の情報設定情報。
【請求項５】
前記第３のステップにて通知された前記セル情報は、前記ユーザプレーン処理装置に前記各セル毎に展開される、請求項４記載の情報設定方法。
【請求項６】
無線基地局を制御する無線制御装置が、コントロールプレーンの処理を行う装置と、ユーザプレーンの処理を行う少なくとも１つの装置とに物理的に分離された無線アクセスネットワークであって、
前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、いずれかの前記ユーザプレーン処理装置からセル情報を要求されると、該ユーザプレーン処理装置と共有すべきセル情報を該ユーザプレーン処理装置に通知するコントロールプレーン処理装置とを有する無線アクセスネットワーク。
【請求項７】
前記ユーザプレーン処理装置は起動処理が完了したときにセル情報を要求する、請求項６記載の無線アクセスネットワーク。
【請求項８】
無線基地局を制御する無線制御装置が、コントロールプレーンの処理を行う装置と、ユーザプレーンの処理を行う少なくとも１つの装置とに物理的に分離された無線アクセスネットワークであって、
前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、セル情報を通知すべきユーザプレーン処理装置を決定し、該ユーザプレーン処理装置と共有すべきセル情報を該ユーザプレーン処理装置に通知するコントロールプレーン処理装置とを有する無線アクセスネットワーク。
【請求項９】
前記セル情報は、前記無線基地局にカバーされる各セル毎に設定される情報である、請求項６〜８のいずれか１項に記載の無線アクセスネットワーク。
【請求項１０】
前記ユーザプレーン処理装置は、前記コントロールプレーン処理装置から通知された前記セル情報を前記各セル毎に展開する、請求項９記載の無線アクセスネットワーク。
【請求項１１】
コントロールプレーンの処理を行う装置と、ユーザプレーンの処理を行う少なくとも１つの装置とに物理的に分離され、無線基地局を制御する無線制御装置であって、
前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、いずれかの前記ユーザプレーン処理装置からセル情報を要求されると、該ユーザプレーン処理装置と共有すべきセル情報を該ユーザプレーン処理装置に通知するコントロールプレーン処理装置とを有する無線制御装置。
【請求項１２】
前記ユーザプレーン処理装置は起動処理が完了したときにセル情報を要求する、請求項１１記載の無線制御装置。
【請求項１３】
コントロールプレーンの処理を行う装置と、ユーザプレーンの処理を行う少なくとも１つの装置とに物理的に分離され、無線基地局を制御する無線制御装置であって、
前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、セル情報を通知すべきユーザプレーン処理装置を決定し、該ユーザプレーン処理装置と共有すべきセル情報を該ユーザプレーン処理装置に通知するコントロールプレーン処理装置とを有する無線制御装置。
【請求項１４】
前記セル情報は、前記無線基地局にカバーされる各セル毎に設定される情報を含む、請求項１１〜１３のいずれか１項に記載の無線制御装置。
【請求項１５】
前記ユーザプレーン処理装置は、前記コントロールプレーン処理装置から通知された前記セル情報を前記各セル毎に展開する、請求項１４記載の無線制御装置。
【請求項１６】
無線基地局を制御する無線制御装置が、コントロールプレーンの処理を行う装置と、その配下でユーザプレーンの処理を行う少なくとも１つの装置とに物理的に分離された無線アクセスネットワークにあり、コントロールプレーンの処理を分担するコントロールプレーン処理装置において、
自身の配下にあり、ユーザプレーンの処理を分担する装置と共有すべきセル情報を予め保持しており、前記ユーザプレーンの処理を分担する装置からセル情報を要求されると、該ユーザプレーンの処理を分担する装置と共有すべきセル情報を通知することを特徴とするコントロールプレーン処理装置。
【請求項１７】
無線基地局を制御する無線制御装置が、コントロールプレーンの処理を行う装置と、その配下でユーザプレーンの処理を行う少なくとも１つの装置とに物理的に分離された無線アクセスネットワークにあり、コントロールプレーンの処理を分担するコントロールプレーン処理装置において、
自身の配下にあり、ユーザプレーンの処理を分担する装置と共有すべきセル情報を予め保持しており、セル情報を通知すべき、前記ユーザプレーンの処理を分担する装置を決定し、該ユーザプレーンの処理を分担する装置と共有すべきセル情報を通知することを特徴とするコントロールプレーン処理装置。
【請求項１８】
無線基地局を制御する無線制御装置が、コントロールプレーンの処理を行う装置と、その配下でユーザプレーンの処理を行う少なくとも１つの装置とに物理的に分離された無線アクセスネットワークにあり、ユーザプレーンの処理を分担するユーザプレーン処理装置において、
前記コントロールプレーンの処理を分担する装置からセル情報を取得することを特徴とするユーザプレーン処理装置。
【請求項１９】
起動処理が完了したときにセル情報を要求する、請求項１８記載のユーザプレーン処理装置。
【請求項２０】
前記コントロールプレーンの処理を分担する装置から通知された前記セル情報を前記各セル毎に展開する、請求項１９記載のユーザプレーン処理装置。
【発明の詳細な説明】
【０００１】
【発明の属する技術分野】
本発明は、無線アクセスネットワークに関し、特に、無線アクセスネットワークへの情報の設定に関する。
【０００２】
【従来の技術】
携帯電話の世界標準として３ＧＰＰ（３ｒｄ  Ｇｅｎｅｒａｔｉｏｎ  Ｐａｒｔｎｅｒｓｈｉｐ  Ｐｒｏｊｅｃｔ）がＷ−ＣＤＭＡ通信システムの規格を定めている。そして、Ｗ−ＣＤＭＡ通信システムの構成および機能が様々に規定されている（例えば、非特許文献１参照）。
【０００３】
図４は、３ＧＰＰで定められたＷ−ＣＤＭＡ通信システムの構成を示す図である。
【０００４】
Ｗ−ＣＤＭＡ通信システムは、回線交換またはパケット交換を行うコアネットワーク（ＣＮ）９３に無線アクセスネットワーク（ＲＡＮ：Ｒａｄｉｏ  Ａｃｃｅｓｓ  Ｎｅｔｗｏｒｋ）９１が接続された構成である。
【０００５】
ＲＡＮ９１は、少なくとも１つ（図４では２つ）の無線制御装置（ＲＮＣ：Ｒａｄｉｏ  Ｎｅｔｗｏｒｋ  Ｃｏｎｔｏｒｏｌｌｅｒ）９４，９５、少なくとも１つ（図４では４つ）の無線基地局（ＮｏｄｅＢ）９６〜９９を有している。
【０００６】
ＲＮＣ９４，９５はＩｕインタフェースでＣＮ９３に接続されている。また、ＲＮＣ９４，９５同士は互いにＩｕｒインタフェースで相互接続されている。また、ＮｏｄｅＢ９６〜９９は、ＩｕｂインタフェースでいずれかのＲＮＣに接続されている。
【０００７】
ＮｏｄｅＢ９６〜９９は、少なくとも１つのセル９１０をカバーしており、無線インタフェースを介して移動機（ＵＥ：Ｕｓｅｒ  Ｅｑｕｉｐｍｅｎｔ）９２と接続される。そして、ＮｏｄｅＢ９６〜９９は無線インタフェースを終端し、ユーザデータをＲＮＣに伝達する。
【０００８】
ＲＮＣ９４，９５は、いずれかのＮｏｄｅＢを介して、シグナリング制御の制御信号をＵＥ９２と送受信し、呼の設定や解除を行う。また、ＲＮＣ９４，９５は、配下のｎｏｄｅＢを制御してＵＥ９２とユーザデータを送受信する。
【０００９】
図４に示された３ＧＰＰのＷ−ＣＤＭＡ通信システムでは、ＲＮＣ９４、９５が、制御信号を処理するコントロールプレーン（Ｃ−ｐｌａｎｅ）の機能と、ユーザデータを処理するユーザプレーンの機能（Ｕ−ｐｌａｎｃｅ）の両方を有している。そのため、Ｕ−ｐｌａｎｅの処理能力を拡張する必要があるとき、Ｃ−ｐｌａｎｅの処理能力を拡張する必要がなくとも、新たにＲＮＣを増設する必要があり、システムコストが増大する場合があった。
【００１０】
これに対して、Ｃ−ＰｌａｎｅとＵ−ｐｌａｎｅの処理能力を適切に設定し、システム要求に最適な構成を提供するために、Ｃ−ｐｌａｎｅの処理と、Ｕ−ｐｌａｎｅの処理を互いに別の装置に分離し、システム構成の自由度を上げた無線アクセスネットワークが考えられている。このシステムによれば、必要に応じてＣ−ｐｌａｎｅ処理装置またはＵ−ｐｌａｎｅ処理装置を増設することにより、要求に最適な構成で対応することができ、システムコストが低減される。
【００１１】
【非特許文献１】
Ｍｏｂｉｌｅ  Ｗｉｒｅｌｅｓｓ  Ｉｎｔｅｒｎｅｔ  Ｆｏｒｕｍ，ＯｐｅｎＲＡＮ  Ａｒｃｈｉｔｅｃｔｕｒｅ  ｉｎ  ３ｒｄ  Ｇｅｎｅｒａｔｉｏｎ  Ｍｏｂｉｌｅ  Ｓｙｓｔｅｍｓ  Ｔｅｃｈｎｉｃａｌ  Ｒｅｐｏｒｔ  ＭＴＲ−００７  Ｒｅｌｅａｓｅ  ｖ１．０．０（１２  Ｊｕｎｅ  ２００１）
【００１２】
【発明が解決しようとする課題】
ＲＮＣをコントロールプレーン（Ｃ−ｐｌａｎｅ）を処理する装置（以下、Ｃ−ｐｌａｎｅ処理装置と称す）とユーザプレーン（Ｕ−ｐｌａｎｅ）を処理する装置（Ｕ−ｐｌａｎｅ処理装置）とに分離する場合には、それまで１つのＲＮＣで保持しておけば良かった情報の中に、Ｃ−ｐｌａｎｅ処理装置とＵ−ｐｌａｎｅ処理装置の双方に共通に設定され、保持されるべきセル情報がある。セル情報は、セルを識別するために各セル毎に設定される情報を含む。セル情報には、例えば、Ｃｅｌｌ  ＩＤや、Ｌｏｃａｌ  Ｃｅｌｌ  ＩＤなどセル毎に設定される情報や、Ｍｏｂｉｌｅ  Ｃｏｕｎｔｒｙ  Ｃｏｄｅ（ＭＣＣ）、Ｍｏｂｉｌｅ  Ｎｅｔｗｏｒｋ  Ｃｏｄｅ（ＭＮＣ）、Ｌｏｃａｔｉｏｎ  Ａｒｅａ  Ｃｏｄｅ（ＬＡＣ）などがある。
【００１３】
そして、セルを新設あるいは増設する場合、これらのセル情報をＣ−ｐｌａｎｅ処理装置とＵ−ｐｌａｎｅ処理装置の双方に設定する必要があり、作業が煩雑であった。また、Ｃ−ｐｌａｎｅ処理装置に設定した情報とＵ−ｐｌａｎｅ処理装置に設定した情報とが不一致となる可能性があり、その場合、システムは正常に動作しない。また、その不一致を発見するのに多大な労力が費やされることも考えられる。
【００１４】
本発明の目的は、３ＧＰＰに規定された無線制御装置をＣ−ｐｌａｎｅ処理装置およびＵ−ｐｌａｎｅ処理装置に分離した場合に、セルの増設や新設に伴って追加修正されるセル情報を容易かつ確実に設定することのできる無線アクセスネットワークを提供することである。
【００１５】
【課題を解決するための手段】
上記目的を達成するために、本発明のセル情報設定方法は、少なくとも１つの無線基地局を収容する無線制御装置が、コントロールプレーンの処理を行うコントロールプレーン処理装置と、コントロールプレーン処理装置の配下でユーザプレーンの処理を行う少なくとも１つのユーザプレーン処理装置とに物理的に分割された無線アクセスネットワークにおいてセル情報を設定するためのセル情報設定方法であって、
配下の前記各ユーザプレーン処理装置と共有すべきセル情報を予め前記コントロールプレーン処理装置において保持する第１のステップと、
前記ユーザプレーン処理装置から前記コントロールプレーン処理装置にセル情報を要求する第２のステップと、
前記コントロールプレーン処理装置から、セル情報を要求した前記ユーザプレーン処理装置に、該コントロールプレーン処理装置と該ユーザプレーン処理装置で共有すべきセル情報を通知する第３のステップとを有している。
【００１６】
したがって、本発明によれば、コントロールプレーン処理装置と少なくとも１つのユーザプレーン処理装置とに物理的に分離されたことにより、それら双方に共通に設定されることが必要となったセル情報を、ユーザプレーン処理装置からの要求により、コントロールプレーン処理装置からそのユーザプレーン処理装置に転送する。
【００１７】
また、前記第２のステップにおいて、前記ユーザプレーン処理装置は起動処理が完了したときにセル情報を要求することとしてもよい。
【００１８】
したがって、ユーザプレーン処理装置の起動時にコントロール処理装置からユーザプレーン処理装置にセル情報を通知する。
【００１９】
本発明の他のセル情報設定方法は、少なくとも１つの無線基地局を収容する無線制御装置が、コントロールプレーンの処理を行うコントロールプレーン処理装置と、前記コントロールプレーン処理装置の配下でユーザプレーンの処理を行う少なくとも１つのユーザプレーン処理装置とに物理的に分割された無線アクセスネットワークにおいてセル情報を設定するためのセル情報設定方法であって、
配下の前記各ユーザプレーン処理装置と共有すべきセル情報を予め前記コントロールプレーン処理装置において保持する第１のステップと、
前記コントロールプレーン処理装置において、セル情報を通知すべきユーザプレーン処理装置を決定する第２のステップと、
前記コントロールプレーン処理装置からセル情報を通知すべき前記ユーザプレーン処理装置に、該コントロールプレーン処理装置と該ユーザプレーン処理装置で共有すべきセル情報を通知する第３のステップとを有している。
【００２０】
したがって、セル情報を更新する場合に、コントロール処理装置から各ユーザプレーン処理装置のセル情報を更新できるので、各ユーザプレーン処理装置にセル情報を個別に設定しにいく必要がない。
【００２１】
また、前記セル情報は、前記無線基地局にカバーされる各セル毎に設定される情報を含んでもよい。
【００２２】
さらに、前記第３のステップにて通知された前記セル情報は、前記ユーザプレーン処理装置に前記各セル毎に展開されるものであってもよい。
【００２３】
本発明の無線アクセスネットワークは、無線基地局を制御する無線制御装置が、コントロールプレーンの処理を行う装置と、ユーザプレーンの処理を行う少なくとも１つの装置とに物理的に分離された無線アクセスネットワークであって、前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、いずれかの前記ユーザプレーン処理装置からセル情報を要求されると、該ユーザプレーン処理装置と共有すべきセル情報を該ユーザプレーン処理装置に通知するコントロールプレーン処理装置とを有している。
【００２４】
また、前記ユーザプレーン処理装置は起動処理が完了したときにセル情報を要求することとしてもよい。
【００２５】
本発明の無線アクセスネットワークは、無線基地局を制御する無線制御装置が、コントロールプレーンの処理を行う装置と、ユーザプレーンの処理を行う少なくとも１つの装置とに物理的に分離された無線アクセスネットワークであって、前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、セル情報を通知すべきユーザプレーン処理装置を決定し、該ユーザプレーン処理装置と共有すべきセル情報を該ユーザプレーン処理装置に通知するコントロールプレーン処理装置とを有している。
【００２６】
また、前記セル情報は、前記無線基地局にカバーされる各セル毎に設定される情報であってもよい。
【００２７】
さらに、前記ユーザプレーン処理装置は、前記コントロールプレーン処理装置から通知された前記セル情報を前記各セル毎に展開することとしてもよい。
【００２８】
本発明の無線制御装置は、コントロールプレーンの処理を行う装置と、ユーザプレーンの処理を行う少なくとも１つの装置とに物理的に分離され、無線基地局を制御する無線制御装置であって、
前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、いずれかの前記ユーザプレーン処理装置からセル情報を要求されると、該ユーザプレーン処理装置と共有すべきセル情報を該ユーザプレーン処理装置に通知するコントロールプレーン処理装置とを有している。
【００２９】
また、前記ユーザプレーン処理装置は起動処理が完了したときにセル情報を要求することとしてもよい。
【００３０】
本発明の他の無線制御装置は、コントロールプレーンの処理を行う装置と、ユーザプレーンの処理を行う少なくとも１つの装置とに物理的に分離され、無線基地局を制御する無線制御装置であって、
前記コントロールプレーンの処理を行う装置の配下で前記ユーザプレーンの処理を分担する少なくとも１つのユーザプレーン処理装置と、
前記コントロールプレーンの処理を分担し、配下の前記各ユーザプレーン処理装置と共有すべきセル情報を予め保持しており、セル情報を通知すべきユーザプレーン処理装置を決定し、該ユーザプレーン処理装置と共有すべきセル情報を該ユーザプレーン処理装置に通知するコントロールプレーン処理装置とを有している。
【００３１】
また、前記セル情報は、前記無線基地局にカバーされる各セル毎に設定される情報を含んでもよい。
【００３２】
また、前記ユーザプレーン処理装置は、前記コントロールプレーン処理装置から通知された前記セル情報を前記各セル毎に展開することとしてもよい。
【００３３】
本発明のコントロールプレーン処理装置は、無線基地局を制御する無線制御装置が、コントロールプレーンの処理を行う装置と、その配下でユーザプレーンの処理を行う少なくとも１つの装置とに物理的に分離された無線アクセスネットワークにあり、コントロールプレーンの処理を分担するコントロールプレーン処理装置において、
自身の配下にあり、ユーザプレーンの処理を分担する装置と共有すべきセル情報を予め保持しており、前記ユーザプレーンの処理を分担する装置からセル情報を要求されると、該ユーザプレーンの処理を分担する装置と共有すべきセル情報を通知することを特徴としている。
【００３４】
本発明の他のコントロールプレーン処理装置は、無線基地局を制御する無線制御装置が、コントロールプレーンの処理を行う装置と、その配下でユーザプレーンの処理を行う少なくとも１つの装置とに物理的に分離された無線アクセスネットワークにあり、コントロールプレーンの処理を分担するコントロールプレーン処理装置において、
自身の配下にあり、ユーザプレーンの処理を分担する装置と共有すべきセル情報を予め保持しており、セル情報を通知すべき、前記ユーザプレーンの処理を分担する装置を決定し、該ユーザプレーンの処理を分担する装置と共有すべきセル情報を通知することを特徴としている。
【００３５】
本発明のユーザプレーン処理装置は、無線基地局を制御する無線制御装置が、コントロールプレーンの処理を行う装置と、その配下でユーザプレーンの処理を行う少なくとも１つの装置とに物理的に分離された無線アクセスネットワークにあり、ユーザプレーンの処理を分担するユーザプレーン処理装置において、
前記コントロールプレーンの処理を分担する装置からセル情報を取得することを特徴としている。
【００３６】
また、起動処理が完了したときにセル情報を要求することとしてもよい。さらに、前記コントロールプレーンの処理を分担する装置から通知された前記セル情報を前記各セル毎に展開することとしてもよい。
【００３７】
【発明の実施の形態】
本発明の一実施形態について図面を参照して詳細に説明する。
【００３８】
図１は、本実施形態のＲＡＮ（無線アクセスネットワーク）の構成を示す図である。図１を参照すると、本実施形態のＲＡＮは、Ｃ−ｐｌａｎｅ処理装置１１、Ｕ−ｐｌａｎｅ処理装置１２1〜１２NおよびＮｏｄｅＢ（無線基地局）１３1〜１３Mを有している。ここで、Ｎ，Ｍは自然数である。
【００３９】
Ｃ−ｐｌａｎｅ処理装置１１およびＵ−ｐｌａｎｅ処理装置１２1〜１２Nはルータ１４を介して相互接続されており、さらにＣＮ（コアネットワーク）１５に接続されている。
【００４０】
ここではＣ−ｐｌａｎｅ処理装置１１を１つだけ示したが、複数のＣ−ｐｌａｎｅ処理装置１１がＣＮ１５に接続されてもよい。各Ｕ−ｐｌａｎｅ処理装置には少なくとも１つのＮｏｄｅＢが接続されている。
【００４１】
本実施形態では、３ＧＰＰで規定されたＲＮＣ（Ｒａｄｉｏ  ＮｅｔｗｏｒｋＣｏｎｔｏｒｏｌｌｅｒ）がＣ−ｐｌａｎｅ処理装置１１とＵ−ｐｌａｎｅ処理装置１２1〜１２Nに分離されている。
【００４２】
Ｃ−ｐｌａｎｅ処理装置１１は、３ＧＰＰで規定されたＲＮＣにおけるＣ−ｐｌａｎｅの処理を行う。具体的には、Ｃ−ｐｌａｎｅ処理装置１１は、シグナリング制御の制御信号を移動機（不図示）と送受信し、呼の設定や解除を行う。
【００４３】
Ｕ−ｐｌａｎｅ処理装置１２1〜１２Nは、３ＧＰＰで規定されたＲＮＣにおけるＵ−ｐｌａｎｅの処理を行う。
【００４４】
具体的には、Ｕ−ｐｌａｎｅ処理装置１２1〜１２Nは、配下のｎｏｄｅＢを制御して移動機（不図示）とユーザデータを送受信する。また、Ｕ−ｐｌａｎｅ処理装置１２1〜１２Nは、ＮＢＡＰ（ＮｏｄｅＢ  Ａｐｐｌｉｃａｔｉｏｎ  Ｐａｒｔ）を実装している。また、Ｕ−ｐｌａｎｅ処理装置１２1〜１２Nは、ページングを行う際に、ページング信号を送るＮｏｄｅＢを決定する。
【００４５】
ＮＢＡＰの処理をするため、あるいはページング信号を送るＮｏｄｅＢを決定するために、Ｕ−ｐｌａｎｅ処理装置１２1〜１２Nは、各種のセル情報を保持する必要がある。Ｕ−ｐｌａｎｅ処理装置１２1〜１２Nが保持する必要のあるセル情報は、Ｃｅｌｌ  ＩＤ、Ｌｏｃａｌ  Ｃｅｌｌ  ＩＤなどセル毎に設定されるものの他、Ｍｏｂｉｌｅ  Ｃｏｕｎｔｒｙ  Ｃｏｄｅ（ＭＣＣ）やＭｏｂｉｌｅＮｅｔｗｏｒｋ  Ｃｏｄｅ（ＭＮＣ）、Ｌｏｃａｔｉｏｎ  Ａｒｅａ  Ｃｏｄｅ（ＬＡＣ）を含む。これらのセル情報はＣ−ｐｌａｎｅ処理装置１１にも保持される必要がある。
【００４６】
したがって、Ｃ−ｐｌａｎｅ処理装置１１は、配下の全てのＵ−ｐｌａｎｅ処理装置１２1〜１２Nと共有すべきセル情報を全て保持する必要がある。そして、Ｃ−ｐｌａｎｅ処理装置１１は、配下のＵ−ｐｌａｎｅ処理装置１２１〜１２Ｎが起動すると、起動したＵ−ｐｌａｎｅ処理装置１２に必要なセル情報を送信する。Ｕｐｌａｎｅ処理装置１２1〜１２Nは、起動時に、Ｃ−ｐｌａｎｅ処理装置１１からセル情報を取得し、それ以降、そのセル情報を用いて動作する。
【００４７】
ＮｏｄｅＢ１３1〜１３Mは、少なくとも１つのセルをカバーしており、無線インタフェースを介して移動機と接続される。そして、ＮｏｄｅＢ１３1〜１３Mは無線インタフェースを終端し、ユーザデータをＵ−ｐｌａｎｅ処理装置に伝達する。
【００４８】
ルータ１４は、Ｃ−ｐｌａｎｅ処理装置１１、Ｕ−ｐｌａｎｅ処理装置１２1〜１２N、ＣＮ１5を相互に接続し、ユーザデータや制御信号をルーチングする。
【００４９】
ＣＮ１５は、回線交換またはパケット交換を行うネットワークである。
【００５０】
図２は、本実施形態によるＲＡＮにおいてＵ−ｐｌａｎｅ処理装置が起動するときの動作を示すシーケンス図である。図２を参照すると、Ｕ−ｐｌａｎｅ処理装置１２が装置単体の起動を完了すると（ステップ１０１）、起動完了通知をＣ−ｐｌａｎｅ処理装置１１に送る（ステップ１０２）。起動完了通知を受信すると、Ｃ−ｐｌａｎｅ処理装置１１は、そのＵ−ｐｌａｎｅ処理装置１２に必要なセル情報を送信する（ステップ１０３）。
【００５１】
セル情報を受信すると、Ｕ−ｐｌａｎｅ処理装置１２は、Ｃ−ｐｌａｎｅ処理装置１１に応答を返す（ステップ１０４）。そして、Ｕ−ｐｌａｎｅ処理装置１２は、Ｃ−ｐｌａｎｅ処理装置１１から受信したセル情報を自身内部のメモリテーブルに展開する（ステップ１０５）。メモリテーブルは、例えば不揮発性メモリ上に構成されている。
【００５２】
図３は、セル情報が展開されたメモリテーブルの様子を示す表である。図３（ａ）を参照すると、Ｃ−ｐｌａｎｅ処理装置１１から受信したセル情報が展開される以前、メモリテーブルにセル＃１とセル＃２の分のセル情報が設定されていた。ここで、Ｃ−ｐｌａｎｅ処理装置１１から受信したセル情報が展開されると、図３（ｂ）に示しように、セル＃３のセル情報が追加され、セル＃２のＬＡＣがＥ′からＥに変更されている。これで、Ｕ−ｐｌａｎｅ処理装置１２は、自身の配下に存在すべき、ＮｏｄｅＢおよびセルの情報を正しく把握し、ＮＢＡＰの処理やページング先セルの決定を行うことが可能な状態となる。ただし、この状態では、まだ、ＮｏｄｅＢ１３が起動していないので、ＲＡＮとしては呼処理が可能な状態ではない。
【００５３】
それ以降に、配下のＮｏｄｅＢ１３が起動すると（ステップ１０６）、Ｕｐｌａｎｅ処理装置１２はセル情報を参照し、そのＮｏｄｅＢ１３とレイヤ２リンクを確立する（ステップ１０７）。
【００５４】
そして、ＮｏｄｅＢ１３、Ｕ−ｐｌａｎｅ処理装置１２、Ｃ−ｐｌａｎｅ処理装置１１において、セル構成が確立され（ステップ１０８）、共通チャネルのリンクが確立され（ステップ１０９）、報知情報が設定されて（ステップ１１０）、ＲＡＮ全体として呼処理可能な状態となる（ステップ１１１）。
【００５５】
以上説明したように、本実施形態によれば、３ＧＰＰに規定されたＲＮＣがＣ−ｐｌａｎｅ処理装置１１と複数のＵ−ｐｌａｎｅ処理装置１２1〜１２Nとに物理的に分離されたことにより、Ｃ−ｐｌａｎｅ処理装置１１とＵ−ｐｌａｎｅ処理装置１２の双方に共通に設定されることが必要となったセル情報を、予めＣ−ｐｌａｎｅ処理装置１１で全て保持しており、Ｕ−ｐｌａｎｅ処理装置１２1〜１２Nの起動時に、Ｃ−ｐｌａｎｅ処理装置１１からＵ−ｐｌａｎｅ処理装置１２1〜１２Nに通知するので、セルの新設や増設に伴って各Ｕ−ｐｌａｎｅ処理装置１２1〜１２Nに個別にセル情報を設定する必要がなく、またＣ−ｐｌａｎｅ処理装置１１とＵ−ｐｌａｎｅ処理装置１２1〜１２Nとで設定が不一致となることがなく、セル情報を容易かつ確実に設定することができる。これにより、無線アクセスネットワークの立ち上げ時や、無線基地局やセルの増設、ネットワーク構成の変更、セル情報の変更など、セル情報に変更の生じる作業を行う場合に、Ｃ−ｐｌａｎｅ処理装置１１に比べて装置数の多いＵ−ｐｌａｎｅ処理装置１２1〜１２Nに個々にセル情報を設定する必要がなくなり、作業の効率化が図れ、短時間で確実に作業を完了させることができる。また、Ｕ−ｐｌａｎｅ処理装置１２1〜１２Nは起動時に、個別に必要なセル情報をＣ−ｐｌａｎｅ処理装置１１から取得するので、初期設置において、起動に必要な最低限の情報が設定されていればよく、製造時あるいは設置前に個別の設定を行う必要がなく、作業が効率化される。
【００５６】
なお、呼処理可能な状態では、Ｕ−ｐｌａｎｅ処理装置１２は、Ｃ−ｐｌａｎｅ処理装置１１からページング送信要求を受けると、ページング送信要求に含まれるＬＡＩ（Ｌｏｃａｔｉｏｎ  Ａｒｅａ  Ｉｄｅｎｔｉｔｙ）を基に、図３に示したメモリテーブルを参照し、ページングを送信するＮｏｄｅＢおよびセルを決定する。その際、図３のメモリテーブルでは、ＭＣＣ、ＭＮＣおよびＬＡＣによってＬＡＩが示されているので、Ｕ−ｐｌａｎｅ処理装置１２はＬＡＩが一致したセルにページングを送ることを決定する。ＬＡＩは、ページングを行う範囲、すなわち一斉にページングが行われるエリアの識別情報である。
【００５７】
また、本実施形態では、Ｕ−ｐｌａｎｅ処理装置１２から起動完了の通知を受けると、Ｃ−ｐｌａｎｅ処理装置１１がセル情報をＵ−ｐｌａｎｅ処理装置１２に通知することとしたが、起動完了と関係なく、Ｕ−ｐｌａｎｅ処理装置１２が必要に応じてＣ−ｐｌａｎｅ処理装置１１にセル情報を要求することとしてもよい。
【００５８】
したがって、Ｕ−ｐｌａｎｅ処理装置１２は必要なときに、Ｃ−ｐｌａｎｅ処理装置１１から情報を取得できるので、いちいちＵ−ｐｌａｎｅ処理装置１２に情報を設定し直さなくとも適切な情報が設定された状態が確保される。
【００５９】
また、本実施形態のＲＡＮでは、Ｕ−ｐｌａｎｅ処理装置１２が起動したことを条件に、Ｃ−ｐｌａｎｅ処理装置１１からセル情報を通知することとしたが、Ｕ−ｐｌａｎｅ処理装置１２の起動の有無に関わらず、Ｃ−ｐｌａｎｅ処理装置１１が主体的に判断してセル情報を通知できることとしてもよい。また、それを複数あるいは全てのＵ−ｐｌａｎｅ処理装置１２1〜１２Nに対して同時に行えるとしてもよく、また個々に行えることとしてもよい。
【００６０】
したがって、例えばオペレータの要求などにより、セル情報を更新する場合に、各Ｕ−ｐｌａｎｅ処理装置１２1〜１２Nにセル情報を個別に設定しにいく必要がないので、容易にセル情報を更新することができる。
【００６１】
また、本実施形態では、Ｕ−ｐｌａｎｅ処理装置１２が起動したときに、Ｃ−ｐｌａｎｅ処理装置１１から必ずセル情報を通知することとしたが、本発明はそれに限定されない。セル情報がＵ−ｐｌａｎｅ処理装置１２上の不揮発なメモリに展開されていれば、起動時に必ずしもセル情報を取得する必要がない。その場合、Ｕ−ｐｌａｎｅ処理装置１２が起動要因により、セル情報をＣ−ｐｌａｎｅ処理装置１１に要求するか否かを選択してもよい。例えば、セル情報がメモリテーブル上に存在しない状態で起動すると、セル情報をＣ−ｐｌａｎｅ処理装置１１に要求する。また、セル情報がメモリテーブル上に存在する状態で起動すると、セル情報をＣ−ｐｌａｎｅ処理装置１１に要求しない。また、セル情報がメモリテーブル上に存在しても、重大な障害により再起動した場合には、セル情報をＣ−ｐｌａｎｅ処理装置１１に要求する。
【００６２】
【発明の効果】
本発明によれば、コントロールプレーン処理装置と少なくとも１つのユーザプレーン処理装置とに物理的に分離されたことにより、それら双方に共通に設定されることが必要となったセル情報を、ユーザプレーン処理装置からの要求により、コントロールプレーン処理装置からそのユーザプレーン処理装置に転送するので、各ユーザプレーン処理装置に個別にセル情報を設定する必要がなく、またコントロールプレーン処理装置とユーザプレーン処理装置とで設定が不一致となることがなく、セルの増設や新設など無線アクセスネットワークの構成を変更などする際などにセル情報を容易かつ確実に設定することができる。
【００６３】
また、ユーザプレーン処理装置の起動時にコントロール処理装置からユーザプレーン処理装置にセル情報を通知するので、ユーザプレーン処理装置は起動後、適切なセル情報を用いて動作することができる。
【００６４】
また、セル情報を更新する場合に、、コントロール処理装置から各ユーザプレーン処理装置の情報を更新できるので、各ユーザプレーン処理装置にセル情報を個別に設定しにいく必要がなく、無線アクセスネットワークのセル情報を容易に更新することができる。
【図面の簡単な説明】
【図１】本実施形態の無線アクセスネットワークの構成を示す図である。
【図２】本実施形態によるＲＡＮにおいてＵ−ｐｌａｎｅ処理装置が起動するときの動作を示すシーケンス図である。
【図３】セル情報が展開されたメモリテーブルの様子を示す表である。
【図４】３ＧＰＰで定められたＷ−ＣＤＭＡ通信システムの構成を示す図である。
【符号の説明】
１１    Ｃ−ｐｌａｎｅ処理装置
１２1〜１２N    Ｕ−ｐｌａｎｅ処理装置
１３1〜１３M    ＮｏｄｅＢ（無線基地局）
１４    ルータ
１５    ＣＮ（コアネットワーク）
１０１〜１１１    ステップ
【図１】
2004194087.tif 000003
【図２】
2004194087.tif 000004
【図３】
2004194087.tif 000005
【図４】
2004194087.tif 000006